(57)【特許請求の範囲】
【請求項１】
複数のブームを屈折可能に連結してなる基部ブームと、基部ブームの先部に屈折可能に連結された伸縮ブームとからなるブーム装置において、前記伸縮ブームは外筒内に内筒を伸縮可能に設け、外筒内と内筒内とに内筒伸縮用の伸縮シリンダの各端部を軸支し、屈折した基部ブームの下方に屈折格納させた伸縮ブームの外筒の側面若しくは下面に開口部を形成し、前記開口部には伸縮シリンダに油圧ホース等を接続しうる接続部材を開口部より外部に突出した状態で配設してなるブーム装置における伸縮シリンダ取付構造。
【発明の詳細な説明】
【０００１】
【発明の属する技術分野】
本発明はコンクリートポンプ車等に搭載されるブーム装置に関するものである。
【０００２】
【従来の技術】
従来、コンクリートポンプ車のブーム装置は特開昭５５−１６１７２７号公報に開示されている如く、基部側ブームに先部側ブームを伸縮可能に設け、基部側ブームにはコンクリートポンプに接続されたコンクリートを移送する配管を沿設してあり、この配管の先部にはホースを接続してあり、先部側ブームを手動にて伸縮させることによりホースの長さを調整し、生コンクリートの打設場所を任意に変更できるようになっている。
【０００３】
【発明が解決しようとする課題】
ところで前記構造にあっては、先部側ブームを伸縮させる際、先部側ブームには先部側ブームに支持されたホースの自重が作用するため作業者に多大な労力を強いることになる。
このため基部側ブーム内と先端側ブーム内とにシリンダの各端部を軸支し、シリンダを伸縮させることにより先部側ブームの伸縮作業を行えるようにするものがある。しかしこの構造にあっては、シリンダに使用されるチェック弁、油圧配管等をブーム内に配設する必要があるため、シリンダのメンテナンス作業をする際には、シリンダをブームから取り外さなくてはならないため、メンテナンス作業に多大な時間を有するという欠点が生じる。
そこで本発明は伸縮ブームの伸縮作業をシリンダにて簡単容易に行えるとともに、シリンダのメンテナンス作業を容易に行うことができるブーム装置における伸縮シリンダ取付構造を提供するものである。
【０００４】
【課題を解決するための手段】
本発明は、複数のブームを屈折可能に連結してなる基部ブームと、基部ブームの先部に屈折可能に連結された伸縮ブームとからなるブーム装置において、前記伸縮ブームは外筒内に内筒を伸縮可能に設け、外筒内と内筒内とに内筒伸縮用の伸縮シリンダの各端部を軸支し、屈折した基部ブームの下方に屈折格納させた伸縮ブームの外筒の側面若しくは下面に開口部を形成し、前記開口部には伸縮シリンダに油圧ホース等を接続しうる接続部材を開口部より外部に突出した状態で配設したことを特徴とするものである。
【０００５】
これにより伸縮シリンダのメンテナンス作業を他のブームに干渉することなく、伸縮ブームの外部から容易に行うことができる。
【０００６】
【発明の実施の形態】
以下、本発明の実施の形態を図面にて説明すると、図１及び図２において、１はコンクリートポンプ車の車体であって、該車体１上には車体１前部にブーム装置２を、車体１後部にコンクリートポンプ３とホッパ４とを搭載している。
前記ブーム装置２は屈折可能な基部ブーム５と伸縮可能な伸縮ブーム６とからなり、走行時には図１の如く車体１上に折り畳まれた格納位置にあり、打設作業時には図２の如く伸長させて打設作業を行うようになっている。
【０００７】
前記基部ブーム５は、車体１上に旋回可能に設けられた旋回台７に取付支柱８を立設し、前記取付支柱８の上端に第１ブーム９の基端を軸支してあり、取付支柱８に設けた第１シリンダ１０により第１ブーム９が起伏するようになっている。前記第１ブーム９の先端には第２ブーム１１の基端を軸支してあり、前記第２ブーム１１に設けた第２シリンダ１２により第２ブーム１１が起伏するようになっている。
【０００８】
前記伸縮ブーム６は、第２ブーム１１の先端に軸支され、第２ブーム１１に設けられた第３シリンダ１３により起伏するようになっている。また前記伸縮ブーム６は図４及び図５に示す如く外筒１４に内筒１５を伸縮自在に設けてなり、前記外筒１４内と内筒１５内には、内筒１５を伸縮させるための伸縮シリンダ１６が配設されている。前記伸縮シリンダ１６の基部は内筒１５に軸支され、ロッド１７はその先部をボス部１８に嵌挿されたピン１９に軸支されている。
【０００９】
前記ロッド１７先部の近接位置であって、ブーム装置２格納位置における外筒１４の下面には開口部２０を形成してあり、前記開口部２０には接続部材２１を外筒１４の下方に突出した状態で配設し、前記接続部材２１はその下面からボルト２２にて伸縮シリンダ１６のロッド１７先部に固定されている。前記接続部材２１はチェック弁（図示せず）を内装し、前記開口部２０より下方位置の側面には油圧ホース等（図示せず）を接続するための接続口２３を設けてある。
これにより伸縮シリンダ１６のメンテナンス作業をする際には、伸縮ブーム６の外部から容易に行うことができるようになっている。
【００１０】
前記各ブーム５、６にはコンクリートポンプ３の吐出管２４に接続された移送配管２５を沿設し、前記移送配管２５の先部には図３に示す如く可撓性の打設ホース２６を接続してある。前記打設ホース２６は、伸縮ブーム６の内筒１５先端に設けられたホースガイド２７により案内支持されるようになっており、打設場所によって伸縮ブーム６を伸縮させて打設ホース２６の長さを適宜変更することにより打設ホース２６先端部を操作しやすいようになっている。
２８は車体１後部に設けられた固縛部材で、図１のブーム装置２格納時に打設ホース２６の先端部を固定するようになっている。
【００１１】
以下前記ホースガイド２７について説明すると、前記ホースガイド２７は図６乃至図９に示す如く、略円弧状に形成された左右一対の上部支持部材２９間に略半円弧状のガイド部材３０を所定間隔を設けて複数個設けてある。前記上部支持部材２９の基部には側方に突出した連結部材３１を固定してあり、前記連結部材３１は前記内筒１５の先部側面に固定された固定部材３２にボルト３３止めされている。
【００１２】
前記ガイド部材３０の底部には略円弧状に形成された左右一対の下部支持部材３４を固定してあり、前記下部支持部材３４には溝部３５を所定間隔を設けて複数個穿設してある。前記各溝部３５には打設ホース２６の下面を支持しうるガイドローラ３６の軸部３７をナット３８にて軸支してあり、打設ホース２６が移動するとガイドローラ３６が回転し、摩擦抵抗が非常に小さくなくなるようになっている。前記ガイドローラ３６の外周面には打設ホース２６の外形に合わせた鼓状のガイド面３９を形成してあり、打設ホース２６が左右へ蛇行するのを防止するようになっている。
【００１３】
４０は前記上部支持部材２９間に軸支された補助ローラで、前記補助ローラ４０にて打設ホース２６がホースガイド２７から外れるのを防止するようになっている。
４１はホースガイド２７を補強するための補強部材で、該補強部材４１は一端を連結部材３１に固定し他端を上部支持部材２９先部のガイド部材３０に固定してある。
【００１４】
尚、本実施の形態ではコンクリートポンプ車について説明したが、その他高所作業車、クレーン等でも同様の作用効果を有するものである。また伸縮シリンダのロッド部を外筒に軸支してあるが、伸縮シリンダの基部を外筒に軸支しても良い。また開口部を外筒の下面に形成してあるが、側面に設けても同様の作用効果を有するものである。
【００１５】
さらに本実施の形態では、接続部材にチェック弁を内装してあるが、開口部より外部に突出された接続部材に設けるようにしても同様の作用効果を有するものである。
本発明は前記の如き構成で、次に作用について説明する。
生コンクリートの打設作業を行うには、まず図１の格納位置から第１ブーム９、第２ブーム１１及び伸縮ブーム６を起立させ伸縮ブーム６の先端を打設場所に近接させ、打設ホース２６を打設場所に臨ませる。その状態で生コンクリートをホッパ４内に入れ、コンクリートポンプ３を作動させると、生コンクリートは吐出管２４から移送配管２５に圧送され、打設ホース２６により打設場所にてホッパ４内に供給された生コンクリートを移送配管２５、打設ホース２６を通って打設させる。
【００１６】
続いて近くの打設場所にて打設作業を行う場合には、基部ブーム５を起伏作動させることなく、伸縮ブーム６の伸縮シリンダ１６により伸縮ブーム６を伸長させ、図２の如く打設ホース２６の長さを適宜変更しながら打設ホース２６の先端部を打設場所に移動させる。その際、打設ホース２６はホースガイド２７のガイドローラ３６上を移動するため、摩擦抵抗が小さくスムーズに案内させることができる。
【００１７】
その後、前記と同様に生コンクリートを打設する。
打設作業終了後は、伸縮シリンダ１６により伸縮ブーム６を収縮させた後、各油圧シリンダ１０、１２、１３を収縮または伸長作動させることにより各ブーム６、９、１１を屈折させて車体１上に格納させる。
ところで打設作業終了後は定期的にメンテナンス作業を行うが、伸縮シリンダ１６の場合は、接続口２３に接続された油圧ホース等を取り外した後、ボルト２２を外して接続部材２１を伸縮シリンダ１６から下方に取り出し、チェック弁等のメンテナンスを行う。
その際、前記接続口２３及びボルト２２は伸縮ブーム６より外部にあるため、メンテナンス作業を容易に行うことができる。また前記開口部２０はブーム装置２格納位置における外筒１４の下面に形成されているため、他のブームに干渉することなくメンテナンス作業を簡単容易に行うことができる。
【００１８】
【発明の効果】
以上のように本発明によれば、伸縮シリンダを内部に配設した外筒の側面若しくは下面に開口部を設け、前記開口部には伸縮シリンダに油圧ホース等を接続しうる接続部材を開口部より外部に突出した状態で配設するようにしたので、伸縮シリンダのメンテナンス作業を伸縮ブームの外部から他のブームに干渉することなく、容易に行うことができる。
【図面の簡単な説明】
【図１】  本発明の全体図である。
【図２】  図１のブーム装置伸長時の側面図である。
【図３】図１のブーム装置先部の拡大平面図である。
【図４】  伸縮ブームの側部断面図である。
【図５】  図４の要部縦断面図である。
【図６】  ホースガイドの側面図である。
【図７】  図６のホースガイドの正面図である。
【図８】  図６のガイドローラの拡大図である。
【図９】  図８の矢視断面図である。
【図１】
0003678592.tif 000002
【図２】
0003678592.tif 000003
【図３】
0003678592.tif 000004
【図４】
0003678592.tif 000005
【図５】
0003678592.tif 000006
【図６】
0003678592.tif 000007
【図７】
0003678592.tif 000008
【図８】
0003678592.tif 000009
【図９】
0003678592.tif 000010